(57)【特許請求の範囲】
【請求項１】
可撓性チューブによって形成されたシースと、
手元側からの進退操作によって軸線方向に進退自在に上記シース内に緩く挿通配置された操作ワイヤと、
上記操作ワイヤの先端に連結されて、上記操作ワイヤを進退させることによって上記シースの先端から突没する注射針と、
上記シース内に手元側から液体を注入するための注液部と、
上記シース内から上記注射針内に液体を流入させるための通液孔と
を有することを特徴とする内視鏡用注射具。
【請求項２】
上記注射針が上記シースの先端から所定長さ以上突出するのを規制するための針突出規制ストッパが形成されている請求項１記載の内視鏡用注射具。
【請求項３】
上記シースには先端に口金が取り付けられていて、上記操作ワイヤを最も手元側に引いたときに上記注射針の先端が上記口金内に位置するように上記操作ワイヤの移動範囲を規制する針没入規制ストッパが設けられている請求項１又は２記載の内視鏡用注射具。
【請求項４】
上記注射針が先端に連結された上記操作ワイヤを上記シースから手元側に抜き出せるようになっている請求項１、２又は３記載の内視鏡用注射具。
【請求項５】
上記注射針を上記シースの先端から突出した状態に保持するための針突出状態保持手段が設けられている請求項１、２、３又は４記載の内視鏡用注射具。
【請求項６】
上記シースが、加熱処理が施されたフッ素樹脂製チューブによって形成されている請求項１、２、３、４又は５記載の内視鏡用注射具。
【発明の詳細な説明】
【０００１】
【発明の属する技術分野】
この発明は、体腔内粘膜等に注射をするために内視鏡の処置具挿通チャンネルに挿通して使用される内視鏡用注射具に関する。
【０００２】
【従来の技術】
内視鏡用注射具は一般に、内視鏡の処置具挿通チャンネルに挿通されるシースの先端から注射針を突没させることができるように構成されており、従来の内視鏡用注射具のシースは、一般に、先端の注射針部に薬液等を送るための可撓性の送液チューブを、密着巻きコイルパイプ等によって形成された外套管内に通した二重管構造に形成されている。
【０００３】
【発明が解決しようとする課題】
しかし、二重管構造の内側の管、即ち送液チューブの管内の断面積は非常に小さいものになるので、注射液の通過に対する抵抗が大きくて、注射筒による注液操作に大きな力を必要とする。
【０００４】
また、注射針を押し出す力が内側の細い送液チューブによって伝達されるので、針先に十分な穿刺力が伝わりにくく、送液チューブがコイルパイプ内で波打つようにたわむので、注射針を押し出すための手元側の操作ストロークが大きくて使いにくい等の不都合がある。
【０００５】
そこで本発明は、注射筒による注液操作に大きな力を必要とせず、また穿刺操作も容易な内視鏡用注射具を提供することを目的とする。
【０００６】
【課題を解決するための手段】
上記の目的を達成するため、本発明の内視鏡用注射具は、可撓性チューブによって形成されたシースと、手元側からの進退操作によって軸線方向に進退自在に上記シース内に緩く挿通配置された操作ワイヤと、上記操作ワイヤの先端に連結されて、上記操作ワイヤを進退させることによって上記シースの先端から突没する注射針と、上記シース内に手元側から液体を注入するための注液部と、上記シース内から上記注射針内に液体を流入させるための通液孔とを有することを特徴とする。
【０００７】
なお、上記注射針が上記シースの先端から所定長さ以上突出するのを規制するための針突出規制ストッパが形成されていてもよい。
また、上記シースには先端に口金が取り付けられていて、上記操作ワイヤを最も手元側に引いたときに上記注射針の先端が上記口金内に位置するように上記操作ワイヤの移動範囲を規制する針没入規制ストッパが設けられていてもよい。
【０００８】
また、上記注射針が先端に連結された上記操作ワイヤを上記シースから手元側に抜き出せるようにしてもよく、上記注射針を上記シースの先端から突出した状態に保持するための針突出状態保持手段が設けられていてもよい。
【０００９】
また、上記シースが、加熱処理が施されたフッ素樹脂製チューブによって形成されていてもよい。
【００１０】
【発明の実施の形態】
図面を参照して本発明の実施の形態を説明する。
図３は、本発明の実施の形態の内視鏡用注射具を示しており、図１はその先端部分の断面図、図２は手元側部分の断面図である。
【００１１】
内視鏡の処置具挿通チャンネルに挿通されるシース１には、例えばフッ素樹脂製の可撓性チューブ１ａが用いられており、加熱処理が施されたものを用いることにより、伸縮性を小さくして、後述する注射針３の押し出し操作時の操作ストロークを小さくすることができる。可撓性チューブ１ａの先端には、金属又はプラスチック製の筒状の先端口金１ｂが固着されていて、シース１の先端部分を形成している。
【００１２】
可撓性チューブ１ａ内には、全長にわたって金属製の操作ワイヤ２が軸線方向に進退自在に挿通配置されている。操作ワイヤ２の外径寸法は、可撓性チューブ１ａの内面との間に十分な断面積の通液路Ａが確保される程度に可撓性チューブ１ａの内径寸法より細くなっている。
【００１３】
なお、操作ワイヤ２としては、例えばステンレス鋼線等の金属製の単線、撚り線、又は単線の周囲に撚り線を配置したものなど、各種のワイヤを用いることができる。
【００１４】
図１に示されるように、操作ワイヤ２の先端には、つなぎ管４を介して注射針３が接続連結されている。図４はその部分の斜視図である。注射針３は、先端口金１ｂの軸線位置に穿設された貫通孔内に、スキマバメ程度の嵌合で軸線方向に進退自在に挿通されており、嵌合部の隙間から薬液等がほとんど漏れないようになっている。
【００１５】
操作ワイヤ２の先端はつなぎ管４の後半部に差し込まれて、ロー付け又ははんだ付け等によってそこに固着され、注射針３の後端部は、つなぎ管４の前半部に差し込まれて、ロー付け又ははんだ付け等によってそこに固着されている。
【００１６】
そして、操作ワイヤ２の先端と注射針３の後端との間の位置において、つなぎ管４に通液孔５が穿設されており、可撓性チューブ１ａ内の通液路Ａを送られてきた液体が、通液孔５を通って注射針３内に入るようになっている。
【００１７】
また、つなぎ管４は、注射針３が先端口金１ｂの先端から一定長さ以上突出するのを規制するためのストッパとしても作用しており、図１に示されるように、つなぎ管４の先端面が先端口金１ｂの後端面にぶつかると、注射針３をそれ以上前方に突出させることができない状態になる。
【００１８】
図２に示されるように、可撓性チューブ１ａの基端はプラスチック又は金属製の手元側本体１１に接続連結されており、手元側本体１１内を操作ワイヤ２が真っ直ぐに通過している。また、手元側本体１１の側部には、注射筒を接続するための注射筒接続口金１２が可撓性チューブ１ａ内に連通する状態に突設されている。
【００１９】
手元側本体１１の手元側端部には、締め筒１３の先端部分がねじ部１４において螺合接続されている。そして、締め筒１３内に位置する部分では、操作ワイヤ２には腰折れ防止のために操作パイプ１６が外装されており、その操作パイプ１６の外周面に密着するＯリング１５が、締め筒１３の先端面と手元側本体１１との間に配置されている。
【００２０】
その結果、Ｏリング１５は注射筒接続口金１２から注入された薬液等が手元側に漏れないようにシールを行う機能を有すると同時に、締め筒１３を強く締め込むことにより、操作パイプ１６がＯリング１５によって弾力的に締めつけられて操作ワイヤ２が固定され、先端の注射針３が自由に動けない状態になる。
【００２１】
締め筒１３の手元側に突出する操作パイプ１６の基端部には手元摘み１７が取り付けられていて、操作パイプ１６を介して操作ワイヤ２を軸線方向に移動操作することができる。
【００２２】
ただし、操作パイプ１６には、締め筒１３内に位置する部分にストッパ駒１８が固着されており、ストッパ駒１８が締め筒１３の手元側端部に形成されたストッパネジ部１９にぶつかると、それ以上手元側に移動できないようになっている。
【００２３】
そしてその状態では、図３に略示されるように、注射針３の先端は先端口金１ｂ内に位置するようになっており、針先で可撓性チューブ１ａを傷つけることがない。
【００２４】
ただし、ストッパ駒１８の外周面とストッパネジ部１９の内周面には互いに緩く螺合するネジ溝が形成されているので、ストッパ駒１８をストッパネジ部１９に螺合させた状態で手元摘み１７を軸線回りに回転させることにより、ストッパ駒１８をストッパネジ部１９より手元側に引き出すことができ、その状態にすれば、操作ワイヤ２とその先端に連結された注射針３とをシース１内から手元側に引き出すことができる。
【００２５】
このように構成された実施の形態の内視鏡用注射具は、シース１を内視鏡の処置具挿通チャンネルに挿脱する際には、図３に示されるように、手元摘み１７を手元側に引いて注射針３の先端を先端口金１ｂ内に位置させておく。
【００２６】
シース１の先端が処置具挿通チャンネルの先端出口から突出したら、手元摘み１７を押し込んで、図１に示されるように注射針３を先端口金１ｂの先から突出させる。その際、操作ワイヤ２が注射針３を押すので、中間部分でのストロークの吸収が少なく、短いストロークで確実な操作を行うことができる。
【００２７】
そして注射針３が突出した状態で、締め筒１３を締め込んでＯリング１５を強く潰すことによって、注射針３を軸線方向に移動できない状態に固定してから、シース１を押し進めて注射針３を患部に穿刺する。
【００２８】
次いで、注射筒接続口金１２に取り付けた注射筒（図示せず）から薬液等を注入すれば、薬液等は可撓性チューブ１ａと操作ワイヤ２との間の隙間部分によって形成された通液路Ａを通って先端側に送られる。
【００２９】
この通液路Ａは、軸線から離れた位置の環状部分によって形成されているので、軸線位置に配置された従来の送液チューブ等の管路断面積等に比べればはるかに断面積が大きい。したがって、注射液の通過に対する抵抗が小さくて、注射筒による注液操作を楽に行うことができる。
【００３０】
なお、本発明は上記実施の形態に限定されるものではなく、例えば、図５に示されるように先端口金１ｂの後端面に当接するつなぎ管４の先端面部分にシール材６を装着してもよい。また、図６に示されるように、操作ワイヤ２を注射針３の後端部に直接連結して、先端口金１ｂに当接させるための先端ストッパ７を注射針３に固着してもよい。
【００３１】
【発明の効果】
本発明によれば、可撓性チューブによって形成されたシース内に緩く挿通配置された操作ワイヤを手元側から進退操作させることによって、操作ワイヤの先端に連結された注射針をシースの先端から突没させるようにしたので、短いストロークで注射針を確実に進退操作することができ、また、手元側の操作力が先端の注射針部にロスなく伝達される。
【００３２】
そして、シースを外装する可撓性チューブの内面と操作ワイヤの外面との間の隙間が注射液の通液路になるので、流路断面積が広くて、注射液の通過に対する抵抗が小さく、注射筒による注液操作に大きな力が要らず楽に操作することができる。
【図面の簡単な説明】
【図１】本発明の第１の実施の形態の先端側部分の側面断面図である。
【図２】本発明の第１の実施の形態の手元側部分の側面断面図である。
【図３】本発明の第１の実施の形態の全体側面図である。
【図４】本発明の第１の実施の形態の操作ワイヤと注射針との連結部付近の斜視図である。
【図５】本発明の第２の実施の形態の操作ワイヤと注射針との連結部付近の斜視図である。
【図６】本発明の第３の実施の形態の操作ワイヤと注射針との連結部付近の斜視図である。
【符号の説明】
１  シース
１ａ  可撓性チューブ
１ｂ  先端口金
２  操作ワイヤ
３  注射針
５  通液孔
１０  手元側操作部
１２  注射筒接続口金
【図１】
0003709046.tif 000002
【図２】
0003709046.tif 000003
【図３】
0003709046.tif 000004
【図４】
0003709046.tif 000005
【図５】
0003709046.tif 000006
【図６】
0003709046.tif 000007